(57)【要約】【課題】任意の機密データ部分の領域に対して加工処理が施された印刷画像を出力する画像形成装置を提供する。【解決手段】ＡＳＩＣ１０８は、ＲＦＩＤタグリーダ／ライタ１３０から取得した情報を基にして、画像形成装置の具備する画像読取手段にて読み取った印刷原稿画像データに対して、どのような加工処理を実行するか否かを判断し、画像読取手段にて読み取った印刷原稿画像データの特定領域に対して加工処理が施される。なお、加工処理を施す特定領域は、ＲＦＩＤタグに予め記録されており、その情報を基に加工処理が施されることとなる。そして、加工処理が施された印刷データを印刷出力する。【選択図】        図１
2004336431.tif 000002
【特許請求の範囲】
【請求項１】
印刷原稿を読み取る画像読取手段と、前記画像読取手段により読み取られた印刷原稿に対応する複写画像を形成する画像形成手段と、を有する画像形成装置であって、
前記印刷原稿の具備する無線タグの情報を受信するタグ情報受信手段と、
前記タグ情報受信手段により受信した情報を基に、前記画像読取手段により得た印刷画像データの機密データ部分に対して、加工処理を施す印刷原稿加工手段と、
を有することを特徴とする画像形成装置。
【請求項２】
前記タグ情報受信手段により受信した情報を基に、前記画像読取手段により得た印刷画像データの機密データ部分に対して、前記印刷原稿加工手段により施す加工処理とは逆の加工処理を施す加工処理復元手段を有することを特徴とする請求項１記載の画像形成装置。
【請求項３】
前記タグ情報受信手段により受信した情報を基に、外部の通信端末装置からネットワークを介して、前記無線タグを具備する印刷原稿に対応する印刷画像データを取得する第１の印刷画像取得手段を更に有し、
前記印刷原稿加工手段は、
前記タグ情報受信手段により受信した情報を基に、前記第１の印刷画像取得手段により取得した印刷画像データの機密データ部分に対して、加工処理を施し、
前記加工処理復元手段は、
前記タグ情報受信手段により受信した情報を基に、前記第１の印刷画像取得手段により取得した印刷画像データの機密データ部分に対して、前記印刷原稿加工手段により施す加工処理とは逆の加工処理を施すことを特徴とする請求項１または２記載の画像形成装置。
【請求項４】
前記タグ情報受信手段により受信した情報を基に、画像形成装置の具備する記憶部から、前記無線タグを具備する印刷原稿に対応する印刷画像データを取得する第２の印刷画像取得手段を更に有し、
前記印刷原稿加工手段は、
前記タグ情報受信手段により受信した情報を基に、前記第２の印刷画像取得手段により取得した印刷画像データの機密データ部分に対して、加工処理を施し、
前記加工処理復元手段は、
前記タグ情報受信手段により受信した情報を基に、前記第２の印刷画像取得手段により取得した印刷画像データの機密データ部分に対して、前記印刷原稿加工手段により施す加工処理とは逆の加工処理を施すことを特徴とする請求項１から３の何れか１項に記載の画像形成装置。
【請求項５】
前記タグ情報受信手段により受信した情報を基に、前記加工処理を施した印刷原稿を出力可能な画像形成装置か否かを判定する出力可能装置判定手段を有することを特徴とする請求項１から４の何れか１項に記載の画像形成装置。
【請求項６】
前記加工処理復元手段を実行するか否かを判断する加工処理復元実行判断手段を有することを特徴とする請求項２から４の何れか１項に記載の画像形成装置。
【請求項７】
前記加工処理復元実行判断手段は、
画像形成装置の具備する操作部から設定した設定情報が前記タグ情報受信手段により受信した情報と一致した場合に、前記加工処理復元手段を実行することを特徴とする請求項６記載の画像形成装置。
【請求項８】
印刷原稿を読み取る画像読取手段と、前記画像読取手段により読み取られた印刷原稿に対応する複写画像を形成する画像形成手段と、前記印刷原稿の具備する無線タグの情報を受信するタグ情報受信手段と、を有する画像形成装置において実行される画像処理プログラムであって、
前記タグ情報受信手段により受信した情報を基に、前記画像読取手段により得た印刷画像データの機密データ部分に対して、加工処理を施す印刷原稿加工処理をコンピュータに実行させることを特徴とする画像処理プログラム。
【請求項９】
前記タグ情報受信手段により受信した情報を基に、前記画像読取手段により得た印刷画像データの機密データ部分に対して、前記印刷原稿加工処理により施す加工処理とは逆の加工処理を施す加工処理復元処理をコンピュータに実行させることを特徴とする請求項８記載の画像処理プログラム。
【請求項１０】
前記タグ情報受信手段により受信した情報を基に、外部の通信端末装置からネットワークを介して、前記無線タグを具備する印刷原稿に対応する印刷画像データを取得する第１の印刷画像取得処理をコンピュータに実行させ、
前記印刷原稿加工処理は、
前記タグ情報受信手段により受信した情報を基に、前記第１の印刷画像取得処理により取得した印刷画像データの機密データ部分に対して、加工処理を施し、
前記加工処理復元処理は、
前記タグ情報受信手段により受信した情報を基に、前記第１の印刷画像取得処理により取得した印刷画像データの機密データ部分に対して、前記印刷原稿加工処理により施す加工処理とは逆の加工処理を施すことを特徴とする請求項８または９記載の画像処理プログラム。
【請求項１１】
前記タグ情報受信手段により受信した情報を基に、画像形成装置の具備する記憶部から、前記無線タグを具備する印刷原稿に対応する印刷画像データを取得する第２の印刷画像取得処理をコンピュータに実行させ、
前記印刷原稿加工処理は、
前記タグ情報受信手段により受信した情報を基に、前記第２の印刷画像取得処理により取得した印刷画像データの機密データ部分に対して、加工処理を施し、
前記加工処理復元処理は、
前記タグ情報受信手段により受信した情報を基に、前記第２の印刷画像取得処理により取得した印刷画像データの機密データ部分に対して、前記印刷原稿加工処理により施す加工処理とは逆の加工処理を施すことを特徴とする請求項８から１０の何れか１項に記載の画像処理プログラム。
【請求項１２】
前記タグ情報受信手段により受信した情報を基に、前記加工処理を施した印刷原稿を出力可能な画像形成装置か否かを判定する出力可能装置判定処理をコンピュータに実行させることを特徴とする請求項８から１１の何れか１項に記載の画像処理プログラム。
【請求項１３】
前記加工処理復元処理を実行するか否かを判断する加工処理復元実行判断処理をコンピュータに実行させることを特徴とする請求項９から１１の何れか１項に記載の画像処理プログラム。
【請求項１４】
前記加工処理復元実行判断処理は、
画像形成装置の具備する操作部から設定した設定情報が前記タグ情報受信手段により受信した情報と一致した場合に、前記加工処理復元処理を実行することを特徴とする請求項１３記載の画像処理プログラム。
【請求項１５】
請求項８から１４の何れか１項に記載の画像処理プログラムを記録したコンピュータ読取可能な記録媒体。
【発明の詳細な説明】
【０００１】
【発明の属する技術分野】
本発明は、プリンタ、複写機、ファクシミリ装置、および各機能を備えた複合機等の画像形成装置、その画像形成装置において実行される画像処理プログラムおよび記録媒体に関し、特に、ＰＣ等からの出力指示をすることなく、印刷用紙に付けられた無線タグの情報を基に印刷出力を行う画像形成装置、画像処理プログラムおよび記録媒体に関する。
【０００２】
【従来の技術】
近年、複写機能を持つ画像形成装置が広く普及したことから、複写を行うことが頻繁に行われている。このような状況の中で、所謂、機密データの複写による機密内容の漏洩という問題がある。
【０００３】
例えば、会議等で配布する資料には、第３者に対して公開するデータと、第３者に対して公開したくない機密データと、が混在している場合がある。このため、機密データを含む資料を第３者に対して安易に印刷して配布することはできない。
【０００４】
もし、機密データを含む資料を第３者に対して配布する場合は、機密データの部分に、何らかの処理を施すことで、機密データの部分を隠して配布することとなる。
【０００５】
そのため、機密データの部分を手作業で塗りつぶしたり、あるいは、機密データの部分を隠して印刷したりして、新たな資料を作成する必要がある。また、予め、機密データの部分を印刷していない資料を作成する必要がある。
【０００６】
このような事情から、本発明より先に出願された技術文献として、機密データ部分を有する機密文書を複写する際に、所望の機密データ部分を指定して、該指定した機密データ部分の画像をスクランブル処理して簡便に複写することができ、必要に応じて、複写画像からスクランブル処理された画像を復元して複写することができる機密文書用画像形成装置がある（例えば、特許文献１）。
【０００７】
【特許文献１】
特開平７−７４９４０号公報
【０００８】
【発明が解決しようとする課題】
しかしながら、特許文献１に記載された機密文書用画像形成装置は、所望の機密データ部分を指定する際には、部分機密原稿を原稿ガラス上に平面的に載置した状態で、デジタイザーにより機密データ部分の領域を指定しなくてはならない。
【０００９】
本発明は、上記事情に鑑みてなされたものであり、機密データ部分の領域を指定することなく、任意の機密データ部分の領域に対して加工処理が施された印刷画像を出力する画像形成装置、画像処理プログラムおよび記録媒体を提供することを目的とする。
【００１０】
【課題を解決するための手段】
かかる目的を達成するために本発明は以下のような特徴を有する。
請求項１記載の発明は、印刷原稿を読み取る画像読取手段と、画像読取手段により読み取られた印刷原稿に対応する複写画像を形成する画像形成手段と、を有する画像形成装置であって、印刷原稿の具備する無線タグの情報を受信するタグ情報受信手段と、タグ情報受信手段により受信した情報を基に、画像読取手段により得た印刷画像データの機密データ部分に対して、加工処理を施す印刷原稿加工手段と、を有することを特徴とする。
【００１１】
請求項２記載の発明は、請求項１記載の画像形成装置において、タグ情報受信手段により受信した情報を基に、画像読取手段により得た印刷画像データの機密データ部分に対して、印刷原稿加工手段により施す加工処理とは逆の加工処理を施す加工処理復元手段を有することを特徴とする。
【００１２】
請求項３記載の発明は、請求項１または２記載の画像形成装置において、タグ情報受信手段により受信した情報を基に、外部の通信端末装置からネットワークを介して、無線タグを具備する印刷原稿に対応する印刷画像データを取得する第１の印刷画像取得手段を更に有し、印刷原稿加工手段は、タグ情報受信手段により受信した情報を基に、第１の印刷画像取得手段により取得した印刷画像データの機密データ部分に対して、加工処理を施し、加工処理復元手段は、タグ情報受信手段により受信した情報を基に、第１の印刷画像取得手段により取得した印刷画像データの機密データ部分に対して、印刷原稿加工手段により施す加工処理とは逆の加工処理を施すことを特徴とする。
【００１３】
請求項４記載の発明は、請求項１から３の何れか１項に記載の画像形成装置において、タグ情報受信手段により受信した情報を基に、画像形成装置の具備する記憶部から、無線タグを具備する印刷原稿に対応する印刷画像データを取得する第２の印刷画像取得手段を更に有し、印刷原稿加工手段は、タグ情報受信手段により受信した情報を基に、第２の印刷画像取得手段により取得した印刷画像データの機密データ部分に対して、加工処理を施し、加工処理復元手段は、タグ情報受信手段により受信した情報を基に、第２の印刷画像取得手段により取得した印刷画像データの機密データ部分に対して、印刷原稿加工手段により施す加工処理とは逆の加工処理を施すことを特徴とする。
【００１４】
請求項５記載の発明は、請求項１から４の何れか１項に記載の画像形成装置において、タグ情報受信手段により受信した情報を基に、加工処理を施した印刷原稿を出力可能な画像形成装置か否かを判定する出力可能装置判定手段を有することを特徴とする。
【００１５】
請求項６記載の発明は、請求項２から４の何れか１項に記載の画像形成装置において、加工処理復元手段を実行するか否かを判断する加工処理復元実行判断手段を有することを特徴とする。
【００１６】
請求項７記載の発明は、請求項６記載の画像形成装置において、加工処理復元実行判断手段は、画像形成装置の具備する操作部から設定した設定情報がタグ情報受信手段により受信した情報と一致した場合に、加工処理復元手段を実行することを特徴とする。
【００１７】
請求項８記載の発明は、印刷原稿を読み取る画像読取手段と、画像読取手段により読み取られた印刷原稿に対応する複写画像を形成する画像形成手段と、印刷原稿の具備する無線タグの情報を受信するタグ情報受信手段と、を有する画像形成装置において実行される画像処理プログラムであって、タグ情報受信手段により受信した情報を基に、画像読取手段により得た印刷画像データの機密データ部分に対して、加工処理を施す印刷原稿加工処理をコンピュータに実行させることを特徴とする。
【００１８】
請求項９記載の発明は、請求項８記載の画像処理プログラムにおいて、タグ情報受信手段により受信した情報を基に、画像読取手段により得た印刷画像データの機密データ部分に対して、印刷原稿加工処理により施す加工処理とは逆の加工処理を施す加工処理復元処理をコンピュータに実行させることを特徴とする。
【００１９】
請求項１０記載の発明は、請求項８または９記載の画像処理プログラムにおいて、タグ情報受信手段により受信した情報を基に、外部の通信端末装置からネットワークを介して、無線タグを具備する印刷原稿に対応する印刷画像データを取得する第１の印刷画像取得処理をコンピュータに実行させ、印刷原稿加工処理は、タグ情報受信手段により受信した情報を基に、第１の印刷画像取得処理により取得した印刷画像データの機密データ部分に対して、加工処理を施し、加工処理復元処理は、タグ情報受信手段により受信した情報を基に、第１の印刷画像取得処理により取得した印刷画像データの機密データ部分に対して、印刷原稿加工処理により施す加工処理とは逆の加工処理を施すことを特徴とする。
【００２０】
請求項１１記載の発明は、請求項８から１０の何れか１項に記載の画像処理プログラムにおいて、タグ情報受信手段により受信した情報を基に、画像形成装置の具備する記憶部から、無線タグを具備する印刷原稿に対応する印刷画像データを取得する第２の印刷画像取得処理をコンピュータに実行させ、印刷原稿加工処理は、タグ情報受信手段により受信した情報を基に、第２の印刷画像取得処理により取得した印刷画像データの機密データ部分に対して、加工処理を施し、加工処理復元処理は、タグ情報受信手段により受信した情報を基に、第２の印刷画像取得処理により取得した印刷画像データの機密データ部分に対して、印刷原稿加工処理により施す加工処理とは逆の加工処理を施すことを特徴とする。
【００２１】
請求項１２記載の発明は、請求項８から１１の何れか１項に記載の画像処理プログラムにおいて、タグ情報受信手段により受信した情報を基に、加工処理を施した印刷原稿を出力可能な画像形成装置か否かを判定する出力可能装置判定処理をコンピュータに実行させることを特徴とする。
【００２２】
請求項１３記載の発明は、請求項９から１１の何れか１項に記載の画像処理プログラムにおいて、加工処理復元処理を実行するか否かを判断する加工処理復元実行判断処理をコンピュータに実行させることを特徴とする。
【００２３】
請求項１４記載の発明は、請求項１３記載の画像処理プログラムにおいて、加工処理復元実行判断処理は、画像形成装置の具備する操作部から設定した設定情報がタグ情報受信手段により受信した情報と一致した場合に、加工処理復元処理を実行することを特徴とする。
【００２４】
請求項１５記載の発明は、請求項８から１４の何れか１項に記載の画像処理プログラムをコンピュータ読取可能な記録媒体に記録したことを特徴とする。
【００２５】
【発明の実施の形態】
以下、添付図面を参照しながら本発明にかかる実施の形態について詳細に説明する。
【００２６】
（画像形成装置の全体構成）
まず、図１を参照しながら本発明にかかる画像形成装置の全体構成について説明する。
図１に示すように、本発明にかかる画像形成装置は、コントローラ１０１と、エンジン部１１０と、無線（ＲＦＩＤ）タグリーダ／ライタ１３０と、を有して構成される。
【００２７】
なお、コントローラ１０１と、エンジン部１１０と、はＰＣＩ１０９を介して接続し、また、コントローラ１０１は、無線（ＲＦＩＤ）タグリーダ／ライタ１３０と接続した構成となる。
【００２８】
（ＦＲＩＤタグリーダ／ライタ１３０の構成）
次に、上記画像形成装置を構成するＦＲＩＤタグリーダ／ライタ１３０について説明する。
【００２９】
無線（ＲＦＩＤ）タグリーダ／ライタ１３０は、アンテナ１３１と接続されており、外部との情報の送受信を、アンテナ１３１を介して行う。そして、ＲＦＩＤタグリーダ／ライタ１３０により得られた情報を基に、コントローラ１０１がコピー出力を実行する。なお、ＲＦＩＤタグリーダ／ライタ１３０は、コピー出力時において、出力データに対しての加工処理、あるいは、出力可否の判断を行い、コントローラ１０１側への制御を行う。
【００３０】
（エンジン部１１０の構成）
次に、上記画像形成装置を構成するエンジン部１１０の構成について説明する。
【００３１】
エンジン部１１０は、ＣＰＵ１２０と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２１と、スキャナ１２４と、プロッタ１２６と、を有して構成される。
【００３２】
ＡＳＩＣ１２１は、特定の用途で最良の性能を発揮できるように最適化され、専用設計が行われるものであり、画像処理を行う画像処理部１２２と、ＰＣＩ部１２３と、を有して構成される。
【００３３】
スキャナ１２４は、画像を電気信号に変換する部分であり、スキャナまたはファックスユニットなどの機器である。
プロッタ１２６は、出力データを図形や文字として出力する部分であり、白黒プロッタ、１ドラムカラープロッタなど機器である。
【００３４】
（コントローラ１０１の構成）
次に、上記画像形成装置を構成するコントローラ１０１の構成について説明する。
【００３５】
コントローラ１０１は、画像形成装置全体の制御と、描画処理、通信処理、操作部１１１からの入力処理を制御するコントローラである。
【００３６】
コントローラ１０１は、ＣＰＵ１０２と、ノースブリッジ（ＮＢ）１０３と、システムメモリ（ＭＥＭ−Ｐ）１０４と、サウスブリッジ（ＳＢ）１０５と、ローカルメモリ（ＭＥＭ−Ｃ）１０７と、ＡＳＩＣ１０８と、操作部１１１と、ハードディスクドライブ（ＨＤＤ）１１２，１１３と、ＡＳＩＣ１１４と、ＯＰＴＩＯＮ１１５，１１６と、ＲＯＭ１１７と、を有して構成される。
【００３７】
なお、ノースブリッジ（ＮＢ）１０３と、ＡＳＩＣ１０８との間は、ＡＧＰ（Ａｃｃｅｌｅｒａｔｅｄ  Ｇｒａｐｈｉｃｓ  Ｐｏｒｔ）１０６を介して接続されている。
【００３８】
また、ノースブリッジ（ＮＢ）１０３と、サウスブリッジ（ＳＢ）１０５との間は、ＰＣＩ１１８を介して接続されている。
【００３９】
（コントローラ１０１を構成する各機能）
次に、コントローラ１０１を構成する各機能について説明する。
【００４０】
ＣＰＵ１０２は、画像形成装置全体の制御を行うものであり、ＮＢ１０３と、ＭＥＭ−Ｐ１０４と、ＡＳＩＣ１１４と、ＯＰＴＩＯＮ１１５，１１６と、ＲＯＭ１１７と、ＳＢ１０５と、からなるチップセットを有する。なお、他の機器との接続は、チップセットを介して行われる。
【００４１】
ＮＢ１０３は、ＣＰＵ１０２と、ＭＥＭ−Ｐ１０４と、ＳＢ１０５と、ＡＧＰ１０６と、を接続するためのブリッジである。
【００４２】
ＭＥＭ−Ｐ１０４は、画像形成装置の描画用メモリなどとして用いるメモリである。
【００４３】
ＳＢ１０５は、ＮＢ１０３とＲＯＭ１１７、ＰＣＩデバイス、周辺デバイスとを接続するためのブリッジである。
【００４４】
ＯＰＴＩＯＮ１１５，１１６は、オプションとしてのＰＣＩデバイス、周辺デバイスを接続するための空きスロットである。
【００４５】
ＭＥＭ−Ｃ１０７は、コピー用画像バッファ、符号バッファとして用いるローカルメモリである。
【００４６】
ＡＳＩＣ１０８は、画像処理用のハードウェア要素を有する画像処理用途向けのＩＣであり、ＡＧＰ１０６と、ＭＥＭ−Ｃ１０７と、ＲＦＩＤタグリーダ／ライタ１３０と、ＰＣＩ１０９と、操作部１１１と、ＨＤＤ１１２，１１３と、をそれぞれ接続するブリッジの役割も有する。
【００４７】
操作部１１１は、ユーザからの入力操作の受け付け、並びに、ユーザに向けた表示を行う操作部である。
【００４８】
ＨＤＤ１１２，１１３は、画像データの蓄積、プログラムの蓄積、フォントデータの蓄積、フォームの蓄積を行うためのストレージである。
【００４９】
ＡＧＰ１０６は、グラフィック処理を高速化するために提案されたバスインタフェースであり、本実施の形態における画像形成装置では、ＮＢ１０３と、ＡＳＩＣ１０８と、を接続している。
【００５０】
（ＡＳＩＣ１０８の構成）
次に、図２を参照しながら、図１に示したコントローラ１０１を構成するＡＳＩＣ１０８の内部構成について説明する。
【００５１】
図２に示すように、ＡＳＩＣ１０８は、ＡＧＰユニット２２９と、コンフィグレジスタ（ＰＣＩ−ＣＯＮＦＩＧ）２０７と、マスタユニット（ＡＧＰ−ＭＡＳＴＥＲ）２０６と、ターゲットユニット（ＰＣＩ−ＴＡＲＧＥＴ）２０８と、内部レジスタ２１０と、メモリコントローラ２０９と、コンフィグレジスタ（ＰＣＩ−ＣＯＮＦＩＧ）２２３と、マスタユニット（ＰＣＩ−ＭＡＳＴＥＲ）２２４と、ターゲットユニット（ＰＣＩ−ＴＡＲＧＥＴ）２２６と、ＰＣＩユニット２２８と、ＰＣＩアービタ２２５と、合成器（ＯＲ）２３０と、アービタ２１２と、編集器（ＥＤＩＴ）２０３と、２個の回転器（ＲＯＴ１，ＲＯＴ２）２０４，２０５と、ＨＤＤコントローラ（ＨＤＣ）２１３と、２個の圧縮伸長器（ＣＤ１，ＣＤ２）２１６，２１７と、操作部（ＯＰＥ）２０２と、ビデオ入力部２１８と、ＤＩＲＥＣＴ  ＡＣＣＥＳＳ  ＰＡＴＨ２１９と、ビデオ出力部２２２と、無線タグデータコントローラ（ＲＦＩＤ）２３１と、編集機２（ＥＤＩＴ２）２３３と、を有して構成される。
【００５２】
（ＡＳＩＣ１０８を構成する各機能）
次に、上記ＡＳＩＣ１０８を構成する各機能について説明する。
【００５３】
ＡＧＰユニット２２９は、ＮＢ１０３と接続するＡＧＰバス（ＡＧＰ）１０６のバスプロトコルを実行するユニット（チップセットインターフェース部）である。
【００５４】
ＰＣＩ−ＣＯＮＦＩＧ２０７は、ＡＧＰ１０６のためのＰＣＩのコンフィグレジスタである。
ＡＧＰ−ＭＡＳＴＥＲ２０６は、ＡＧＰ１０６のバスマスタ機能を実行するユニットである。
ＰＣＩ−ＴＡＲＧＥＴ２０８は、ＡＧＰ１０６に包含されるＰＣＩのターゲット機能を実行するユニットである。
【００５５】
内部レジスタ２１０は、ＡＳＩＣ１０８の各部が機能する際に必要となるレジスタである。
メモリコントローラ２０９は、ローカルメモリＭＥＭ−Ｃ１０７（図１参照）を制御するものである。
【００５６】
ＰＣＩ−ＣＯＮＦＩＧ２２３は、ＰＣＩ１０９のためのＰＣＩのコンフィグレジスタである。
ＰＣＩ−ＭＡＳＴＥＲ２２４は、ＰＣＩ１０９のバスマスタ機能を実行するユニットである。
【００５７】
ＰＣＩ−ＴＡＲＧＥＴ２２６は、ＰＣＩ１０９のターゲット機能を実行するユニットである。
ＰＣＩアービタ２２５は、ＰＣＩ１０９へのアクセスを調停するものである。
ＰＣＩユニット２２８は、ＰＣＩ１０９のバスプロトコルを実行するユニット（エンジンインターフェース部）である。
【００５８】
アービタ２１２は、ＭＥＭ−Ｃ１０７（図１参照）へのアクセスを調停するものである。
２個の回転器（ＲＯＴ１，ＲＯＴ２）２０４，２０５は、画像データの指定された角度での回転処理を行うものであり、それぞれ２個のＤＭＡＣを有している。ここで、ＤＭＡＣは、ローカルメモリＭＥＭ−Ｃ１０７（図１参照）に対してＤＭＡ転送するためのＤＭＡコントローラを示唆する。
【００５９】
２個の圧縮伸長器（ＣＤ１，ＣＤ２）２１６，２１７は、画像データの圧縮または伸長を行うユニットであり、アービタ２１２と接続されている。この圧縮伸長器（ＣＤ１，ＣＤ２）２１６，２１７は、内部で、セレクタ（ＳＥＬ２２０、ＶＳＥＬ２２１）を介してビデオ出力部２２２と接続され、ローカルメモリＭＥＭ−Ｃ１０７（図１参照）に格納されている圧縮された画像データを読み出して伸長した後に、ローカルメモリＭＥＭ−Ｃ１０７（図１参照）に書き戻すことなく、直接、ビデオ出力部２２２にデータを渡すことができるようになっている。なお、ＳＥＬ２２０は、圧縮した画像データまたは伸長した画像データを直接ＨＤＤ１１２，１１３（図１参照）との間で転送するためのバスのセレクタであり、ＶＳＥＬ２２１は、伸長した画像データを直接、ビデオ出力部２２２に渡すためのセレクタである。
【００６０】
なお、ビデオ出力部２２２は、ＰＣＩのバースト転送に対応するためのＦＩＦＯと、画像をシフトさせるためのシフトユニット（ＳＦＴ）と、を有して構成されている。なお、ビデオ出力部２２２は、合成器２３０と接続されている。この合成器２３０は、画像用ＤＭＡＣと、画像を合成する機能ユニットＯＲと、を有して構成されており、ビデオ出力部２２２のＦＩＦＯへ合成器２３０から直接画像データを渡すことができるようになっている。
【００６１】
ＨＤＤコントローラ２１３は、コマンドを発行するためのコマンドＤＭＡＣと、データを転送するためのデータＤＭＡＣと、ＨＤＤとの信号をやり取りするためのＨＤＣと、から構成されている。
【００６２】
無線タグコントローラ（ＲＦＩＤ）２３１は、外部との無線タグによるデータを送信により得られる情報より、出力の可否を判断し、データを取得して出力制御を行う。
【００６３】
編集機２（ＥＤＩＴ２）２３３は、取得したデータの任意の部分に対して加工処理を行う場合に、部分的な塗りつぶしや空白作成等を行うためのものである。
【００６４】
ビデオ入力部２１８は、図１に示すエンジン部１１０からＰＣＩ１０９を介して画像データを入力するものであり、画像データ入力用のＦＩＦＯと、画像データ入力用のＤＭＡＣと、を有して構成される。
【００６５】
（画像形成装置の処理動作）
次に、図１を参照しながら、上記構成からなる画像形成装置の処理動作について説明する。
画像形成装置の電源が投入されると、まず、コントローラ１０１の具備するＣＰＵ１０２は、ＳＢ１０５を介して接続されるＢＩＯＳから起動を開始して、ＮＢ１０３の初期化およびＳＢ１０５の初期化を行う。そして、この初期化の最中に、ＣＰＵ１０２は、ＡＧＰ１０６を介してＡＳＩＣ１０８の具備するＰＣＩ−ＣＯＮＦＩＧ２０７（図２参照）を設定し、ＡＳＩＣ１０８のＡＧＰデバイスとしての初期化を完了する。
【００６６】
次に、コントローラ１０１は、ソフトウェアの初期化が完了すると、操作部１１１に対して、プリント可能である旨のメッセージを通知し、ホストからのデータ受信に備えて待機状態となる。
【００６７】
また、ＡＳＩＣ１０８は、ネットワーク、ＩＥＥＥ１３９４、ＵＳＢなどのホストと接続するためのインターフェースを有し、データの受信が始まると送信データを順次解釈し、ＭＥＭ−Ｐ１０４上に描画を開始する。そして、描画が完了するとエンジン部１１０に対してコマンドを送信して、描画した絵を取得するように指示を出す。
【００６８】
ＣＰＵ１０２は、ＭＥＭ−Ｐ１０４のデータをＡＧＰ（図示せず）の空間に見せるために、ＮＢ１０３の内部レジスタを操作し、メモリ上のテーブルを書き換えて、エンジン部１１０からＭＥＭ−Ｐ１０４のデータをＡＧＰ空間に見えるように設定する。
【００６９】
エンジン部１１０は、描画された絵があるバッファの先頭アドレスをもらい、エンジン部１１０内部のＤＭＡＣに起動をかけて、ＡＧＰを通してＭＥＭ−Ｐの絵を読み出す。
【００７０】
このとき、ＡＳＩＣ１０８は、ＰＣＩ１０９に対しては、ターゲットの動作を行い、ＡＧＰ１０６に対しては、マスターの動作を行う。エンジン部１１０は、内部で生成されるタイミングによって絵を読み出す。
【００７１】
（エンジン部１１０の動作タイミング）
次に、図３を参照しながら、図１に示すエンジン部１１０の動作タイミングについて説明する。なお、図３に示す用紙サイズ３０１は、主走査および副走査で決まる用紙サイズである。ＦＧＡＴＥ３０２は、用紙の副走査の有効範囲を示す信号である。ＬＧＡＴＥ３０３は、用紙の主走査の有効範囲を示す信号である。ＬＳＹＮＣ３０４は、主走査の先頭でアサートされる同期信号である。
【００７２】
このように、エンジン部１１０は、出力する用紙サイズ３０１に応じて、副走査方向の有効領域ＦＧＡＴＥ３０２と、主走査方向の有効領域ＬＧＡＴＥ３０３と、各主走査ラインの先頭でラインの開始をあらわすＬＳＹＮＣ３０４と、を用意する。
【００７３】
そして、エンジン部１１０が印字指令を受けると、紙を搬送すると同時に、ＦＧＡＴＥ３０２を作り出して、このＦＧＡＴＥ３０２がアサートされる数ＬＳＹＮＣ３０４時間前に、絵を内部に持っているバッファに読み込むために転送を開始する。
【００７４】
（ソフトウェアの構成）
次に、図４を参照しながら、上記構成からなる画像形成装置で動作するソフトウェアの構成について説明する。なお、図４は、画像形成装置の機能的構成を示すブロック図である。
【００７５】
画像形成装置は、白黒ラインプリンタ（Ｂ＆Ｗ  ＬＰ）４０１と、カラーラインプリンタ（Ｃｏｌｏｒ  ＬＰ）４０２と、スキャナ、ファクシミリ、ハードディスク、メモリ、ネットワークインターフェースなどのハードウェアリソース（その他、ハードウェアリソース）４０３と、を有するとともに、プラットホーム４２０と、アプリケーション４３０と、から構成されるソフトウェア群４１０を有して構成される。
【００７６】
（プラットホーム４２０の構成）
次に、プラットホーム４２０の構成について説明する。
プラットホーム４２０は、アプリケーション４３０からの処理要求を解析してハードウェア資源の獲得要求を発生させるコントロールサービスと、１または複数のハードウェア資源の管理を行い、コントロールサービスからの獲得要求を調停するシステム・リソース・マネージャ（ＳＲＭ）４２３と、汎用ＯＳ４２１と、を有して構成される。なお、このプラットホーム４２０は、予め定義された関数により、アプリケーション４３０から処理要求を受信可能とするアプリケーションプログラムインターフェース（ＡＰＩ）を有する。
【００７７】
コントロールサービスは、複数のサービスモジュールから構成され、システム・コントロール・サービス（ＳＣＳ）４２２と、エンジン・コントロール・サービス（ＥＣＳ）４２４と、メモリ・コントロール・サービス（ＭＣＳ）４２５と、オペレーションパネル・コントロール・サービス（ＯＣＳ）４２６と、ファックス・コントロール・サービス（ＦＣＳ）４２７と、ネットワーク・コントロール・サービス（ＮＣＳ）４２８と、を有して構成される。
【００７８】
汎用ＯＳ４２１は、ＵＮＩＸ（登録商標）などの汎用オペレーティングシステムであり、プラットホーム４２０、並びに、アプリケーション４３０の各ソフトウェアをそれぞれプロセスとして並列実行する。
【００７９】
ＳＲＭ４２３のプロセスは、ＳＣＳ４２２とともに画像形成装置の制御およびリソースの管理を行うものである。
ＳＲＭ４２３のプロセスは、スキャナ部やプリンタ部などのエンジン、メモリ、ＨＤＤファイル、ホストＩ／Ｏ（セントロＩ／Ｆ、ネットワークＩ／Ｆ、ＩＥＥＥ１３９４Ｉ／Ｆ、ＲＳ２３２ＣＩ／Ｆ等）のハードウェア資源を利用する上位層からの要求に従って調停を行い、実行制御する。
【００８０】
具体的には、このＳＲＭ４２３は、要求されたハードウェア資源が利用可能であるか否かを判断し、利用可能であると判断すると、要求されたハードウェア資源が利用可能である旨を上位層に伝える。また、ＳＲＭ４２３は、上位層からの要求に対してハードウェア資源の利用スケジューリングを行い、要求内容（例えば、プリンタエンジンにより紙搬送と作像動作、メモリ確保、ファイル生成など）を直接実施している。
【００８１】
ＳＣＳ４２２のプロセスは、アプリ管理、操作部制御、システム画面表示、ＬＥＤ表示、リソース管理、割り込みアプリ制御などを行う。
【００８２】
ＥＣＳ４２４のプロセスは、白黒ラインプリンタ（Ｂ＆Ｗ  ＬＰ）４０１、カラーラインプリンタ（Ｃｏｌｏｒ  ＬＰ）４０２、スキャナ、ファクシミリなどからなるハードウェアリソース４０３のエンジンの制御を行い、画像読み込みと印刷動作、状態通知、ジャムリカバリなどを行う。
【００８３】
具体的には、アプリケーション４３０から受け取ったジョブモードの指定に従い、印刷要求をＳＲＭ４２３に順次発行していくことで、一連のコピー／スキャン／印刷動作を実現する。このＥＣＳ４２４が取り扱う対象のジョブは、画像入力デバイスにスキャナが指定されているか、または、画像出力デバイスにプロッタが指定されているものとする。
【００８４】
例えば、コピー動作の場合には、「ＳＣＡＮＮＥＲ  →  ＰＬＯＴＴＥＲ」と指定される。
また、ファイル蓄積の場合には、「ＳＣＡＮＮＥＲ  →  ＭＥＭＯＲＹ」と指定される。
また、ファクシミリ送信の場合には、「ＳＣＡＮＮＥＲ  →  ＦＡＸＩＮ」と指定される。
【００８５】
また、蓄積ファイル印刷またはプリンタアプリ４１１からの印刷の場合には、「ＭＥＯＭＯＲＵ  →  ＰＬＯＴＴＥＲ」と指定され、ファクシミリ受信の場合には、「ＦＡＸ＿ＯＵＴ  →  ＰＬＯＴＴＥＲ」と指定される。
【００８６】
なお、ジョブの定義はアプリケーションによって異なるが、ここでは利用者が取り扱う１セットの画像群に対する処理動作を１ジョブと定義する。例えば、コピーのＡＤＦ（Ａｕｔｏｍａｔｉｃ  Ｄｏｃｕｍｅｎｔ  Ｆｅｅｄｅｒ）モードの場合は、原稿台に置かれた１セットの原稿を読み取る動作が１ジョブとなり、圧板モードは最終原稿が確定するまでの読み取り動作が１ジョブとなる。
【００８７】
また、コピーアプリ４１２の場合には、一束の原稿をコピーする動作が１ジョブとなる。
ファックスアプリ４１３の場合には、１文書の送信動作または１文書の受信動作が１ジョブとなる。
プリンタアプリ４１１の場合には、１文書の印刷動作が１ジョブとなる。
【００８８】
ＭＣＳ４２５のプロセスは、画像メモリの取得および解放、ハードディスク装置（ＨＤＤ）の利用、画像データの圧縮および伸長などを行う。
【００８９】
ＦＣＳ４２７のプロセスは、システムコントローラの各アプリ層からＰＳＴＮ／ＩＳＤＮ網を利用したファクシミリ送受信、ＢＫＭ（バックアップＳＲＡＭ）で管理されている各種ファクシミリデータの登録／引用、ファクシミリ読み取り、ファクシミリ受信印刷、融合送受信を行うためのＡＰＩを提供する。
【００９０】
ＮＣＳ４２８のプロセスは、ネットワークＩ／Ｏを必要とするアプリケーションに対して共通に利用できるサービスを提供するためのプロセスであり、ネットワーク側から各プロトコルによって受信したデータを各アプリケーションに振り分けたり、アプリケーションからデータをネットワーク側に送信する際の仲介を行ったりする。
【００９１】
具体的には、ｆｔｐｄ、ｈｔｔｐｄ、ｌｐｄ、ｓｎｍｐｄ、ｔｅｌｎｅｔｅｄ、ｓｍｔｐｄなどのサーバデーモンや、同プロトコルのクライアント機能などを有している。
【００９２】
ＯＣＳ４２６のプロセスは、オペレータ（ユーザ）と本体制御間の情報伝達手段となるオペレーションパネル（操作パネル）の制御を行う。ＯＣＳ４２６は、オペレーションパネルからキー押下をキーイベントとして取得し、その取得したキーに対応したキーイベント関数をＳＣＳ４２２に送信するＯＣＳプロセスの部分と、アプリケーション４３０またはコントロールサービスからの要求によりオペレーションパネルに各種画面を描画出力する描画関数やその他オペレーションパネルに対する制御を行う関数などがあらかじめ登録されたＯＣＳライブラリの部分とから構成される。
【００９３】
なお、アプリケーション４３０は、ページ記述言語（ＰＤＬ）、ＰＣＬおよびポストスクリプト（ＰＳ）を有するプリンタ用のアプリケーションであるプリンタアプリ４１１と、コピー用アプリケーションであるコピーアプリ４１２と、ファクシミリ用アプリケーションであるファックスアプリ４１３と、スキャナ用アプリケーションであるスキャナアプリ４１４と、ネットワークファイル用アプリケーションであるネットファイルアプリ４１５と、工程検査用アプリケーションである工程検査アプリ４１６と、を有して構成されている。
【００９４】
次に、以上のように構成された画像形成装置の具備するＡＳＩＣ１０８におけるプリンタ動作時のＲＦＩＤタグ付き印刷原稿によるコピー制御について説明する。ここでは、印刷されたデータのコピーを行う際に、機密情報としたい領域に関して、塗りつぶし、空白の処理を施す場合とする。なお、図５（ａ）は、元の原稿であり、この元の原稿に付けられているＲＦＩＤタグにより、図５（ｂ）に示すように、機密情報としたい領域に対して出力形態の制限を施した原稿が形成される。
【００９５】
なお、本実施の形態における画像形成装置は、ＲＦＩＤタグのデータを送受信可能とするため、ＲＦＩＤタグリーダ／ライタ１３０およびアンテナ１３１を有して構成される。
【００９６】
また、ＲＦＩＤタグが付いた印刷原稿は、コピーを可能とするための情報、および、印刷されているデータを取得可能とするものであり、画像形成装置の具備するＲＦＩＤタグリーダ／ライタ１３０が、印刷原稿に設けられたＲＦＩＤタグの情報を、接触あるいは、非接触にて受信する。
【００９７】
このように、印刷原稿の具備するＲＦＩＤタグの情報をＲＦＩＤタグリーダ／ライタ１３０が受信することで、画像形成装置に対してコピー出力命令が行われることとなる。そして、コピー出力命令を受けたコントローラ１０１は、ＰＣＩ１０９を経由してエンジン部１１０に画像の読取を開始するように制御することとなる。
【００９８】
なお、ＲＦＩＤタグリーダ／ライタ１３０が、ＲＦＩＤタグから受信する情報としては、出力画像形態、出力画像の可否、情報を判別管理するための固有番号、あるいは、印刷されている情報、印刷されている情報が登録されているサーバ、サーバから情報を読み出すための情報などが挙げられる。以下、図６を参照しながら本発明にかかる画像形成装置における第１の制御動作について説明する。
【００９９】
（第１の制御動作）
まず、ＲＦＩＤタグリーダ／ライタ１３０がＲＦＩＤタグから受信した情報が、ＡＳＩＣ１０８に入力されることで、ＡＳＩＣ１０８は、ＲＦＩＤタグの情報を取得することとなる（ステップＳ１）。そして、ＡＳＩＣ１０８は、ＲＦＩＤタグリーダ／ライタ１３０から取得した情報を基にして、画像形成装置の具備する画像読取手段にて読み取った印刷原稿画像データに対して、どのような加工処理を実行するか否かをＲＦＩＤ２３１にて判断する（ステップＳ２）。そして、編集器２（ＥＤＩＴ２）２３３において、画像読取手段にて読み取った印刷原稿画像データの特定領域に対して加工処理が施され、図５（ｂ）に示す印刷データが作成される（ステップＳ３）。なお、加工処理を施す特定領域は、ＲＦＩＤタグに予め記録されており、その情報を基に加工処理が施されることとなる。例えば、図５（ｂ）に示すように、５０１から５０６まである場合には、印刷原稿画像データに対して加工処理を施す位置情報と、その加工処理をどのような形態として行うかを指定する加工指定情報等がＲＦＩＤタグに予め記録されており、その情報を基に印刷原稿画像データに加工処理が施されることとなる。そして、加工処理が施された印刷データを印刷出力する（ステップＳ４）。
【０１００】
このように、画像形成装置は、ＲＦＩＤタグ付き印刷原稿を画像読取手段にて読み取り、ＲＦＩＤタグから受信した情報に従って、画像読取手段にて読み取った印刷原稿の機密データ部分に対して加工処理を施すことで、印刷原稿の機密データ部分に対して加工処理が施された印刷データを出力することが可能となる。
【０１０１】
（第２の制御動作）
次に、第２の制御動作について説明する。
第２の制御動作は、第１の制御動作において、ＲＦＩＤタグから受信した情報を基に、加工処理が施された印刷原稿を出力可能な画像形成装置であるか否かを判断し、印刷原稿の出力を可能とする画像形成装置の制限を行うこととする。このように、印刷原稿の出力制限を行うことで、印刷原稿を容易に出力機器からコピーできないように、特定の機器のみの出力を可能とすることで、セキュリティを高めることができる。以下、図７を参照しながら、第２の制御動作について説明する。
【０１０２】
まず、画像形成装置の具備するＲＦＩＤタグリーダ／ライタ１３０により、印刷原稿に設けられたＲＦＩＤタグの情報を、接触あるいは、非接触にて受信し、ＡＳＩＣ１０８に入力される（ステップＳ１０）。次に、ＡＳＩＣ１０８の具備するＲＦＩＤ２３１は、ＲＦＩＤタグリーダ／ライタ１３０から入力された情報を基にして、印刷原稿の出力が可能な画像形成装置であるか否かを判定する（ステップＳ１１）。なお、この判定は、画像形成装置の具備する識別番号を用いて行われ、ＲＦＩＤタグから取得した情報を基に、その画像形成装置の具備する識別番号が出力可能な装置か否かを判定する。
【０１０３】
上記判定により、出力可能な画像形成装置でないと判定した場合は（ステップＳ１１／ＮＯ）、印刷処理を行わず、処理を終了する。なお、このとき、印刷原稿を出力出来ない旨を示す情報を表示部に表示することも可能である。
【０１０４】
また、上記判定により、出力可能な画像形成装置であると判定した場合は（ステップＳ１１／ＹＥＳ）、画像形成装置の具備する画像読取手段にて印刷原稿を読み取り、印刷原稿の画像データを取得する（ステップＳ１２）。なお、ＲＦＩＤタグから受信した情報を基に、データ登録サーバ、画像形成装置内に具備するデータ記憶装置などのデータ管理装置から該当する印刷原稿の画像データを読み出すことも可能である。また、ＲＦＩＤタグから印刷原稿の画像データを取得することも可能である。
【０１０５】
そして、編集器２（ＥＤＩＴ２）２３３は、ＲＦＩＤタグから取得した情報を基に、印刷原稿の画像データの特定領域に対して加工処理が施され、図５（ｂ）に示す印刷データが作成される（ステップＳ１３、１４）。そして、加工処理が施された印刷データを印刷出力する（ステップＳ１５）。
【０１０６】
このように、画像形成装置は、ＲＦＩＤタグから受信した情報を基に、印刷原稿を出力可能な画像形成装置か否かを判定し、該判定により印刷原稿を出力可能な画像形成装置であると判定した場合は、印刷原稿の機密データ部分に対して加工処理を施すことが可能となる。
【０１０７】
なお、上記制御動作において、ＲＦＩＤタグから受信した情報を基に、データ登録サーバ、画像形成装置内のデータ記憶装置などのデータ管理装置から、印刷原稿の画像データに予め加工処理が施された印刷データを読み出すことも可能である。また、ＲＦＩＤタグから、加工処理が施された印刷データを取得することも可能である。これにより、画像形成装置では、加工処理を行わず、印刷データを読み出し、または、取得して、印刷出力することになり、処理を簡略化することが可能となる。
【０１０８】
（第３の制御処理）
次に、第３の制御処理について説明する。
第３の制御処理は、第１、第２の制御処理とは逆の加工処理を行い、元の原稿において、機密データとして扱われている部分に対して、むやみに複写できないように、また、複写しても見にくい出力となるように、透かしや背景などが合成されている場合に、機密データを扱えることが出来る対象者が、その透かしや背景を取り除き、見やすいコピーを復元させるものである。以下、図８を参照しながら、第３の制御処理について説明する。
【０１０９】
まず、画像形成装置の具備するＲＦＩＤタグリーダ／ライタ１３０により、加工処理が施された印刷原稿に設けられたＲＦＩＤタグの情報を、接触あるいは、非接触にて受信し、ＡＳＩＣ１０８に入力される（ステップＳ２０）。次に、ＡＳＩＣ１０８の具備するＲＦＩＤ２３１は、ＲＦＩＤタグリーダ／ライタ１３０から入力された情報を基にして、印刷原稿の出力が可能な画像形成装置であるか否かを判定する（ステップＳ２１）。この判定により、出力可能な画像形成装置でないと判定した場合は（ステップＳ２１／ＮＯ）、印刷処理を行わず、処理を終了する。なお、このとき、印刷原稿を出力出来ない旨を示す情報を表示部に表示することも可能である。
【０１１０】
また、上記判定により、出力可能な画像形成装置であると判定した場合は（ステップＳ２１／ＹＥＳ）、画像形成装置の具備する画像読取手段にて印刷原稿を読み取る。また、加工処理を施した印刷原稿を復元した印刷原稿を出力する際の出力形態の設定情報をＲＦＩＤタグから取得する（ステップＳ２２）。
【０１１１】
なお、復元した印刷原稿を出力する際の出力形態の設定情報をＲＦＩＤタグから取得すると共に、ＲＦＩＤタグから受信した情報を基に、データ登録サーバ、画像形成装置内に具備するデータ記憶装置などのデータ管理装置から該当する印刷原稿の画像データを読み出すことも可能である。また、ＲＦＩＤタグから印刷原稿の画像データを取得することも可能である。
【０１１２】
次に、ＡＳＩＣ１０８の具備するＲＦＩＤ２３１は、加工処理が施された印刷原稿を復元するための設定変更を行うか否かを判断する（ステップＳ２３）。なお、この判断は、ユーザにより操作部から設定されたＩＤ等の設定情報と、ＲＦＩＤタグから予め受信した設定情報と、が一致するか否かにより、設定変更を行うか否かの判断を行う。この判断により、設定変更を行わないと判断した場合は（ステップＳ２３／ＮＯ）、印刷処理を行わず、処理を終了する。なお、操作部から設定された設定情報が一致しないと判定した場合は、その旨を表示部に表示させ、再び、操作部から設定させることも可能である。
【０１１３】
また、上記判定により、設定変更を行うと判断した場合は（ステップＳ２３／ＹＥＳ）、編集器２（ＥＤＩＴ２）２３３は、ＲＦＩＤタグから取得した、出力形態の設定情報を基に設定変更を行い、図９に示すように、印刷原稿の画像データの特定領域９０１に対して加工処理が施され、図９に示す、特定領域９０１の画像データを取り除いた印刷データを作成する（ステップＳ２４）。そして、特定領域９０１の画像データを取り除いた印刷データを印刷出力する（ステップＳ２５）。
【０１１４】
このように、画像形成装置は、印刷原稿への設定変更が許可された場合に、ＲＦＩＤタグから受信した情報を基にして、図９に示すように背景９０１が合成されている元の原稿の画像データに対して、設定変更を行うことで、図９に示すように、９０１のような背景部分を取り除くことが可能となり、背景部分や透かし部分が取り除かれた印刷データを出力することが可能となる。
【０１１５】
なお、上記制御動作において、ＲＦＩＤタグから受信した情報を基に、データ登録サーバ、画像形成装置内のデータ記憶装置などのデータ管理装置から、背景部分や透かし部分が取り除かれた印刷データを読み出すことも可能である。また、ＲＦＩＤタグから、背景部分や透かし部分が取り除かれた印刷データを取得することも可能である。これにより、画像形成装置では、設定変更を行わず、印刷データを読み出し、または、取得して、印刷出力することになり、処理を簡略化することが可能となる。
【０１１６】
また、上記制御方法では、操作部から設定情報を設定することで、背景や透かし画像と、その他の画像データと、を分離して、背景部分や透かし部分が取り除かれた印刷データを出力したが、別の制御方法として、操作部からの設定では行わず、画像データを保持しているサーバからの情報を基に、設定変更を行うか否かを判断することも可能である。
【０１１７】
次に、上記の制御方法により形成された印刷データは、ＮＣＳ４２８により処理が施される。すなわち、ＮＣＳ４２８により、受信した印刷データが、プリンタ印刷のためのデータであると判断され、プリンタアプリ４１１に受け渡される。そして、プリンタアプリ４１１は、ＮＣＳ４２８から受け渡された印刷データを解釈して、ＰＤＬ処理部へデータを渡す。
【０１１８】
そして、ＰＤＬ処理部では、印刷データを順番に処理し、ＭＥＭＥ−Ｐ１０４のプリンタ用メモリに描画を行う。
【０１１９】
ＣＰＵ１０２は、印刷データの出力準備が完了すると、エンジン部１１０に対して、印刷データを指定して、プロット命令を発行する。
【０１２０】
エンジン部１１０は、印刷データを読み出すために、ＡＳＩＣ１０８のビデオ出力部２２２のＦＩＦＯアドレスに対してアクセスを行う。これにより、印刷データがプロッタ１２６から出力される。
【０１２１】
なお、上述する実施の形態は、本発明の好適な実施の形態であり、本発明の要旨を逸脱しない範囲内において種々変更実施が可能である。
例えば、上述した第１から第３の制御処理をプログラムとして、画像形成装置において実行させることでも同様の処理を施すことが可能である。また、そのプログラムをコンピュータ読取可能な記録媒体に記録して、画像形成装置において実行させることでも同様な処理を施すことが可能となる。
【０１２２】
【発明の効果】
以上の説明より明らかなように本発明は以下のような効果を奏する。
本発明にかかる画像形成装置、画像処理プログラム及び記録媒体は、印刷原稿に付設した無線タグの情報を取得し、その取得したタグ情報を基に、印刷原稿の機密データ部分に対して加工処理を施すことで、印刷原稿の機密データ部分に対して加工処理が施された印刷データを出力することが可能となる。
【図面の簡単な説明】
【図１】本発明にかかる画像形成システムの構成を示すブロック図である。
【図２】図１に示すＡＳＩＣ１０８の構成を示すブロック図である。
【図３】図１に示すエンジン部１１０の動作タイミングを説明するための図である。
【図４】本発明にかかる画像形成装置で動作するソフトウェアの構成について説明するための図である。
【図５】本発明にかかる画像形成装置において利用した印刷原稿を示す図であり、（ａ）は、加工処理が施される前の印刷原稿のイメージ図を示し、（ｂ）は、加工処理が施された後の印刷原稿のイメージ図を示す。
【図６】本発明にかかる画像形成装置における第１の制御動作を示すフローチャートである。
【図７】本発明にかかる画像形成装置における第２の制御動作を示すフローチャートである。
【図８】本発明にかかる画像形成装置における第３の制御動作を示すフローチャートである。
【図９】背景９０１が合成されている元の印刷原稿のイメージ図である。
【符号の説明】
１０１  コントローラ
１０２、１２０  ＣＰＵ
１０３  ＮＢ（ノースブリッジ）
１０４  ＭＥＭ−Ｐ（システムメモリ）
１０５  ＳＢ（サウスブリッジ）
１０６  ＡＧＰ
１０７  ＭＥＭ−Ｃ（ローカルメモリ）
１０８、１２１、１１４  ＡＳＩＣ
１０９、１１８  ＰＣＩ
１１０  エンジン部
１１１  操作部
１１２、１１３  ＨＤＤ
１３０  ＲＦＩＤタグリーダ／ライタ
１３１  アンテナ
１１５、１１６  ＯＰＴＩＯＮ
１１７  ＲＯＭ
１１９  外部Ｉ／Ｆ端子
１２２  画像処理部
１２３  ＰＣＩ部
１２４  スキャナ
１２６  プロッタ
２０２  操作部
２０３  編集器
２０４、２０５  回転器
２０６  ＡＧＰ−ＭＡＳＴＥＲ
２０７、２２３  ＰＣＩ−ＣＯＮＦＩＧ
２０８、２２６  ＰＣＩ−ＴＡＲＧＥＴ
２０９  メモリコントローラ
２１０  内部レジスタ
２１２  アービタ
２１３  ＨＤＤコントローラ
２１４  ＨＤＤ  外部接続端子
２１６、２１７  圧縮伸長器
２１８  ビデオ入力部
２１９  Ｄｉｒｅｃｔ  Ａｃｃｅｓｓ  Ｐａｔｈ
２２０  セレクタ
２２２  ビデオ出力部
２２４  ＰＣＩ−ＭＡＳＴＥＲ
２２５  ＰＣＩアービタ
２２８  ＰＣＩユニット
２２９  ＡＧＰユニット
２３０  合成器
２３１  無線タグ（ＲＦＩＤタグ）データコントローラー
２３３  編集器２
３０１  用紙サイズ
３０２  ＦＧＡＴＥ信号
３０３  ＬＧＡＴＥ信号
３０４  ＬＳＹＮＣ信号
４０１  白黒ラインプリンタ
４０２  カラーラインプリンタ
４０３  ハードウェアリソース
４１０  ソフトウェア群
４１１  プリンタアプリ
４１２  コピーアプリ
４１３  ファックスアプリ
４１４  スキャナアプリ
４１５  ネットファイルアプリ
４１６  工程検査アプリ
４２０  プラットホーム
４２１  汎用ＯＳ
４２２  ＳＣＳ（システム・コントロール・サービス）
４２３  ＳＲＭ（システム・リソース・マネージャ）
４２４  ＥＣＳ（エンジン・コントロール・サービス）
４２５  ＭＣＳ（メモリ・コントロール・サービス）
４２６  ＯＣＳ（オペレーション・コントロール・サービス）
４２７  ＦＣＳ（ファックス・コントロール・サービス）
４２８  ＮＣＳ（ネットワーク・コントロール・サービス）
４３０  アプリケーション
【図１】
2004336431.tif 000003
【図２】
2004336431.tif 000004
【図３】
2004336431.tif 000005
【図４】
2004336431.tif 000006
【図５】
2004336431.tif 000007
【図６】
2004336431.tif 000008
【図７】
2004336431.tif 000009
【図８】
2004336431.tif 000010
【図９】
2004336431.tif 000011